(57)【要約】      （修正有）【課題】海水中に豊富に含まれる微量元素であるミネラル質を効果的に留保することができる海水活性化装置を提供する。【解決手段】海水活性化装置は、海水を蒸留する蒸留機１００で、蒸留機１００内部に海水を入れる貯水タンク１１２を設置し、貯水タンク１１２内には遠赤外線セラミック体２００を設置する。遠赤外線セラミック体２００の遠赤外線放射機能により、海水中の水分子団を活性化及び微細化し、水分子への酸素の溶解量を高め、海水の活性化性能を向上させることができる。【選択図】図３
0003154962.tif 000002
【実用新案登録請求の範囲】
【請求項１】
海水を入れる貯水タンク、前記貯水タンク内に設置する遠赤外線セラミック体を備えることを特徴とする海水活性化装置。
【請求項２】
請求項１記載の海水活性化装置において、前記貯水タンク内に4リットルの海水を収容する場合、前記遠赤外線セラミック体の強度は500CPMから600CPMであることを特徴とする海水活性化装置。
【請求項３】
請求項１記載の海水活性化装置において、前記遠赤外線セラミック体には、少なくとも１個の対流孔を設置することを特徴とする海水活性化装置。
【請求項４】
請求項１記載の海水活性化装置において、前記貯水タンクは、蒸留機内部に設置することを特徴とする海水活性化装置。
【請求項５】
請求項４記載の海水活性化装置において、前記蒸留機内部には、加熱機を設置し、これにより前記貯水タンク内に収容する海水を加熱することを特徴とする海水活性化装置。
【考案の詳細な説明】
【技術分野】
【０００１】
本考案は海水活性化装置に関し、特に一般の蒸留方式を使用して、海水中の水分子団を活性化及び微細化し、海水中に豊富に含まれる微量元素であるミネラル質を効果的に留保することができ、水分子への酸素の溶解量を高めることができる海水活性化装置に関する。
【背景技術】
【０００２】
海水、或いは塩水の淡水化(Desalination)は、一種の水処理技術で、その原理は、エネルギーを利用し塩水(Saline Water)を二つの部分に分離し、淡水化の目的を達成するものである。
上記した二つの部分の内、一つは塩分含量が極めて低い淡水(Fresh Water)で、もう一つは塩分含量が高い塩水(Brine)である。
【０００３】
海水淡水化技術のほとんどは、初期の頃には、乾燥し、水不足が深刻な中東地区に集中していた。しかし現在では、人口の急成長と工商業の発展に伴い、世界各国で水の需要量は急増しており、各国は相次いで新しい水源の開発に参入している。なぜなら、伝統的な水源開発のコストと困難は年々拡大しており、さらに水資源の供給情勢が日増しに逼迫しているからである。中でも、淡水化技術を応用して、水源開発を補助する方策は、先進国で盛んに採用されており、中東、欧米、多くの島嶼国の他に、日本、シンガポール、韓国、中国、インドネシアなどアジアの国々も、海水の淡水化技術の開発と応用に積極的に乗り出している。
【０００４】
海水淡水化の一方式に、蒸留法がある。一般的な蒸留機は、加熱装置により、海水を入れた貯水タンクを加熱し、内部の海水を沸騰させて水蒸気を形成し、水蒸気を冷却して水滴となし、それを収集して飲用に供するものである。すなわち、上記した伝統的な蒸留法による浄水装置は、海水を加熱、沸騰させ水蒸気にし、凝結により水滴として蒸留水を集めるものである。しかし、この種の蒸留水は、海水中に豊富に含まれる微量元素であるミネラル質を留保することができず、微量元素であるミネラル質を失ってしまっている。これでは、せっかく海水から作っても、該蒸留水は一般の純水と同一で、他の方式により得られる水と差異はない。しかも、伝統的な蒸留法により蒸留される蒸留水の味には、滑らかさが足りない。
【考案の概要】
【考案が解決しようとする課題】
【０００５】
本考案の目的は、海水中に豊富に含まれる微量元素であるミネラル質を効果的に留保することができ、しかも水分子を活性化及び微細化し、水分子への酸素の溶解量を高めることができる海水活性化装置を提供することである。
【課題を解決するための手段】
【０００６】
本考案は海水活性化装置を提供する。海水活性化装置は、海水を蒸留する蒸留機で、該蒸留機内部に海水を入れる貯水タンクを設置し、該貯水タンク内には遠赤外線セラミック体を設置し、該遠赤外線セラミック体は、遠赤外線を放射する機能を備えるため、該貯水タンク内の海水に対して強力なエネルギーを生じることができ、蒸留において加熱器が加熱を行なっている時、海水と該遠赤外線とは物理変化を生じるため、海水中の水分子団は活性化及び微小化され、より多くの酸素を含有可能となり、海水の活性化性能は向上し、これにより、蒸留で得られた蒸留水は、海水中に豊富に含まれる微量元素であるミネラル質を留保するため、蒸留水の味は甘くさわやかである。
該貯水タンク内に4リットルの海水を収容する場合、該遠赤外線セラミック体が放射する遠赤外線の放射回数が、500CPMから600CPM(CPMは、Count Per Minutの省略。毎分当たりの計数値の意)である時、最も効果的に、海水中の塩分を分離し、海水中の微量元素であるミネラル質を留保でき、水分子を微小化し、蒸留水中の酸素溶解量を拡大することができる。
該遠赤外線セラミック体と海水との接触面積を増やすため、該遠赤外線セラミック体には、少なくとも１個の対流孔を設置し、該対流孔は、該遠赤外線セラミック体が、海水中においてエネルギーを放射する面積を拡大することもできる。
【考案の効果】
【０００７】
本考案海水活性化装置は、多種の鉱石粉と陶土により製造する遠赤外線セラミック体を利用するため、遠赤外線セラミック体は水分子に対して衝撃波動を与えることができる。これにより、天然海水中において、水分子を迅速に切断し、水分子の活動力を増強し、その強力なイオン交換能力を運用して、水分子の酸素溶解量を高め、海水中に豊富に含まれる微量元素であるミネラル質を留保することができる。
【図面の簡単な説明】
【０００８】
【図１】本考案新型浄水機の外観を示す立体模式図である。
【図２】本考案遠赤外線セラミック体の立体図である。
【図３】本考案一実施例の組合せ状態を示す断面図である。
【図４】本考案一実施例において、海水に対して加熱動作を行なう様子を示す断面模式図である。
【考案を実施するための形態】
【０００９】
図１、２、３に示すように、本考案海水活性化装置は、海水の蒸留に用いる蒸留機１００を備える。
蒸留機１００の内部には、海水を入れる貯水タンク１１２を設置し、貯水タンク１１２内には遠赤外線セラミック体２００(図２参照)を設置する。
【００１０】
蒸留機１００は、本体１１０を備え、本体１００の内部底端には、加熱器１１１を設置する。海水を入れる貯水タンク１１２は、加熱器１１１の上方に位置する。本体１１０の頂点部には、蓋１２０を設置し、蓋１２０は、多数の散熱孔１２１を備える。蓋１２０は、ピボット１４０を利用して、本体１１０と可動接続する。蓋１２０中には、定位弧状部１２２を設置し、定位弧状部１２２上縁面には、多数のファン１３１を備えるモーター１３０を設置する。定位弧状部１２２の下縁面には、回収カバー１２３を設置する。回収カバー１２３上には、蒸気入口１２４を設置し、蒸気入口１２４は、蒸気管１２５を接続する。蒸気管１２５はさらに、定位弧状部１２２上に環状に設置する凝結管１２６を接続し、回流管１２７を凝結管１２６に接続する。
【００１１】
図４に示すように、加熱器１１１が貯水タンク１１２に対して加熱を持続すると、貯水タンク１１２内の天然の海水３００は沸騰して、水蒸気３１０を形成する。水蒸気３１０は、蒸気入口１２４から蒸気管１２５を経て、凝結管１２６中に入り、冷却されて蒸留水３２０の水滴となる。さらに、回流管１２７一端の蒸留水出口１２８から流出して、使用者は飲用することができる。
【００１２】
蒸留水３２０を製造する過程においては、モーター１３０により、多数のファン１３１の回転を駆動し、上方へと運動する気流を形成する。上方へと運動する気流により、水蒸気３１０が備える熱は、多数の散熱孔１２１から排出されるため、散熱孔１２１は散熱の効果を備える。
【００１３】
さらに、遠赤外線セラミック体２００は、遠赤外線を放射する機能を備えるため、貯水タンク１１２内の天然の海水３００に対して、非常に強力なエネルギーを発生することができる。加熱器１１１が加熱を行なっている時、海水３００と遠赤外線とは物理変化を生じるため、海水中の水分子団は活性化及び微小化され、水蒸気３１０はより多くの酸素を含有可能となる。同時に、水蒸気３１０中のプラスイオンは低下し、海水３００の活性化性能は向上する。これにより、蒸留で得られた蒸留水３２０は、海水３００中に豊富に含まれる微量元素であるミネラル質を留保することができる。
【００１４】
貯水タンク１１２内に4リットルの海水３００を収容する場合、遠赤外線セラミック体２００が放射する遠赤外線の放射回数が、500CPMから600CPM(CPMは、Count Per Minutの省略。毎分当たりの計数値の意)である時、最も効果的に、海水３００中の塩分を分離し、海水３００中の微量元素であるミネラル質を留保でき、水分子を微小化し、蒸留水３２０中の酸素溶解量を拡大することができる。
【００１５】
蒸留水３２０を検査したところ、蒸留水３２０内部には以下表１の微量元素であるミネラル質を含み、しかも蒸留水３２０中の酸素溶解量が拡大したことが明らかになった。
【００１６】
【表１】
0003154962.tif 000003
【００１７】
内、蒸留水３２０中の水分子の核磁気共鳴(NMR)周波数は、49Hz前後で、一般の純粋の80Hzに比べはるかに小さい。これは、水分子団がより小さいことを示しており、よって、人体に吸収され易く、人体内の器官に、より深く取り込まれ、新陳代謝による廃棄物を細胞から持ち去り、体内環境の浄化を効果的に助けることができる。こうして、代謝による廃棄物が人体にたまることで、病気にかかる機会を減らすことができる。
【００１８】
本考案はさらに、遠赤外線セラミック体２００と海水３００との接触面積を増やすため、遠赤外線セラミック体２００に、少なくとも１個の対流孔２１０を設置する。対流孔２１０は、遠赤外線セラミック体２００が、海水３００中においてエネルギーを放射する面積を拡大することもできる。
【００１９】
本考案は遠赤外線を利用し、蒸留過程において、海水３００に対して衝撃波動を与え、水分子を迅速に切断する。これにより水分子の活動力を増強し、その強力なイオン交換能力を運用して、水分子の酸素溶解量を高め、天然海水３００中に豊富に含まれる微量元素であるミネラル質を留保することができる。
【００２０】
上記した蒸留機１００は、一般の家庭用蒸留機で、本考案の一実施例の説明に用いたのみで、本考案を限定するものではない。本考案は、特定の型式の蒸留機を使用しなければならない訳ではなく、蒸留効果を備える蒸留機であれば、本考案に応用することができる。
【符号の説明】
【００２１】
１００  蒸留機
１１０  本体
１１１  加熱器
１１２  貯水タンク
１２０  蓋
１２１  散熱孔
１２２  定位弧状部
１２３  回収カバー
１２４  蒸気入口
１２５  蒸気管
１２６  凝結管
１２７  回流管
１２８  蒸留水出口
１３０  モーター
１３１  ファン
１４０  ピボット
２００  遠赤外線セラミック体
２１０  対流孔
３００  海水
３１０  水蒸気
３２０  蒸留水
【図１】
0003154962.tif 000004
【図２】
0003154962.tif 000005
【図３】
0003154962.tif 000006
【図４】
0003154962.tif 000007